(57)【要約】【課題】ユーザが簡便な操作でデータ通信が可能となるデータ制御装置、制御方法、及びプログラムを提供する。【解決手段】シート状クレードルは、システムコントローラ２０３を備える。デジタルカメラを始点としプリンタアイコンを終点とする入力操作がなされた場合、システムコントローラ２０３はデジタルカメラにプリンタへの画像データ送信を指示する。デジタルカメラはフラッシュメモリ内の画像データをプリンタへ送信し、プリンタは画像データを基に印刷を行う。デジタルカメラを始点としＤＶＤバーナアイコンを終点とする入力操作がなされた場合、システムコントローラはデジタルカメラにＤＶＤバーナへの画像データ送信を指示する。デジタルカメラはフラッシュメモリ内の画像データをＤＶＤバーナへ送信し、ＤＶＤバーナは画像データをＤＶＤ−ＲＷに書き込む。【選択図】図６
2010009121.tif 000002
【特許請求の範囲】
【請求項１】
通信機能を有する第１の情報機器を置くことが可能な載置部と、通信機能を有する第２の情報機器を示すシンボルを明示する表示部と、を備えるデータ制御装置であって、
前記載置部に対する前記第１の情報機器の置かれた位置を検出する検出手段と、
任意の位置を指示する指示手段と、
前記検出手段により検出された前記載置部における前記第１の情報機器の置かれた位置と、前記表示部に明示されている前記第２の情報機器を示すシンボルの位置を含む指示が前記指示手段によりなされた場合、前記第１の情報機器と前記第２の情報機器との間における情報の送受を指示する制御手段と、
を備えることを特徴とするデータ制御装置。
【請求項２】
前記第２の情報機器を示すシンボルは、前記表示部に対し電気的に表示されることを特徴とする請求項１記載のデータ制御装置。
【請求項３】
前記検出手段により前記第１の情報機器の置かれた位置が検出された場合で、前記第１の情報機器から前記第２の情報機器が利用可能な場合に、前記第２の情報機器を示すシンボルを前記表示部に対し電気的に表示する表示制御手段、を備えることを特徴とする請求項１又は２記載のデータ制御装置。
【請求項４】
前記検出手段により前記第１の情報機器の置かれた位置が検出された場合で、前記第２の情報機器から前記第１の情報機器が利用可能な場合に、前記第２の情報機器を示すシンボルを前記表示部に対し電気的に表示する表示制御手段、を備えることを特徴とする請求項１又は２記載のデータ制御装置。
【請求項５】
前記第２の情報機器を示すシンボルは、前記表示部に対し印刷により明示されることを特徴とする請求項１記載のデータ制御装置。
【請求項６】
通信機能を有する第１の情報機器を置くことが可能な載置部と、第２の情報機器を接続することが可能な接続部と、を備えるデータ制御装置であって、
前記載置部に対する前記第１の情報機器の置かれた位置を検出する検出手段と、
任意の位置を指示する指示手段と、
前記検出手段により検出された前記載置部における前記第１の情報機器の置かれた位置と、前記第２の情報機器が接続された前記接続部の位置を含む指示が前記指示手段によりなされた場合、前記第１の情報機器と前記第２の情報機器との間における情報の送受を指示する制御手段と、
を備えることを特徴とするデータ制御装置。
【請求項７】
前記第１の情報機器と前記第２の情報機器との間における情報の送受を指示する制御は、前記情報の送受を指示される対象となる情報機器で行うことも可能であることを特徴とする請求項１又は６記載のデータ制御装置。
【請求項８】
前記通信機能には、無線通信機能が含まれることを特徴とする請求項１又は６記載のデータ制御装置。
【請求項９】
通信機能を有する第１の情報機器を置くことが可能な載置部と、通信機能を有する第２の情報機器を示すシンボルを明示する表示部と、を備えるデータ制御装置の制御方法であって、
前記載置部に対する前記第１の情報機器の置かれた位置を検出手段により検出する検出ステップと、
任意の位置を指示手段を介して指示する指示ステップと、
前記検出ステップで検出された前記載置部における前記第１の情報機器の置かれた位置と、前記表示部に明示されている前記第２の情報機器を示すシンボルの位置を含む指示が前記指示ステップによりなされた場合、前記第１の情報機器と前記第２の情報機器との間における情報の送受を指示する制御ステップと、を有することを特徴とする制御方法。
【請求項１０】
通信機能を有する第１の情報機器を置くことが可能な載置部と、第２の情報機器を接続することが可能な接続部と、を備えるデータ制御装置の制御方法であって、
前記載置部に対する前記第１の情報機器の置かれた位置を検出手段により検出する検出ステップと、
任意の位置を指示手段を介して指示する指示ステップと、
前記検出ステップで検出された前記載置部における前記第１の情報機器の置かれた位置と、前記第２の情報機器が接続された前記接続部の位置を含む指示が前記指示ステップによりなされた場合、前記第１の情報機器と前記第２の情報機器との間における情報の送受を指示する制御ステップと、を有することを特徴とする制御方法。
【請求項１１】
通信機能を有する第１の情報機器を置くことが可能な載置部と、通信機能を有する第２の情報機器を示すシンボルを明示する表示部と、を備えるデータ制御装置の制御方法をコンピュータに実行させるプログラムにおいて、前記制御方法は、
前記載置部に対する前記第１の情報機器の置かれた位置を検出手段により検出する検出ステップと、
任意の位置を指示手段を介して指示する指示ステップと、
前記検出ステップで検出された前記載置部における前記第１の情報機器の置かれた位置と、前記表示部に明示されている前記第２の情報機器を示すシンボルの位置を含む指示が前記指示ステップによりなされた場合、前記第１の情報機器と前記第２の情報機器との間における情報の送受を指示する制御ステップと、を有することを特徴とするプログラム。
【請求項１２】
通信機能を有する第１の情報機器を置くことが可能な載置部と、第２の情報機器を接続することが可能な接続部と、を備えるデータ制御装置の制御方法をコンピュータに実行させるプログラムにおいて、前記制御方法は、
前記載置部に対する前記第１の情報機器の置かれた位置を検出手段により検出する検出ステップと、
任意の位置を指示手段を介して指示する指示ステップと、
前記検出ステップで検出された前記載置部における前記第１の情報機器の置かれた位置と、前記第２の情報機器が接続された前記接続部の位置を含む指示が前記指示ステップによりなされた場合、前記第１の情報機器と前記第２の情報機器との間における情報の送受を指示する制御ステップと、を有することを特徴とするプログラム。
【発明の詳細な説明】
【技術分野】
【０００１】
本発明は、情報機器と無線通信可能なデータ制御装置、制御方法、及びプログラムに関する。
【背景技術】
【０００２】
従来、情報機器同士のデータの授受は、情報機器同士を有線により接続することでデータの授受を行うか、或いは、情報機器同士に着脱可能なデータ記録用の可搬記録媒体を介してデータの授受を行っていた。しかし、近年では、無線通信技術の進展に伴い、情報機器が無線通信用インターフェースを備えることで、情報機器同士が離れた場所にある場合でもデータの授受を行うことが可能となっている。
【０００３】
例えば無線ＬＡＮとして知られているＩＥＥＥ８０２．１１ａ／ｂ／ｇの規格に準拠した無線通信用インターフェースを備えた情報機器であれば、テキストデータや静止画データに限らず、音声データや動画データも高速に転送することが可能である。また、情報機器同士を、アクセスポイントを介在させずに相互に通信を行うアドホックモードで接続すれば、情報機器間で直接データ転送を行うことが可能である。
【０００４】
情報機器に対してコピー等のデータ操作を行うには、これまではパーソナルコンピュータ（ＰＣ）と情報機器を接続し、ＰＣの画面上からフォルダ操作を行う方法が一般的であった。また、これを一歩進めた技術としては以下のような技術が提案されている（例えば、特許文献１参照）。特許文献１では、使用者の入力操作を受け付ける入力装置と、その周囲に存在する制御対象の情報機器の物理位置情報を取得し、物理位置情報を表示画面上の仮想位置に変換してアイコンで表示する。これにより、そのアイコンに対して使用者の指示操作を可能とするものである。
【特許文献１】特開２００４−３２０２０９号公報
【発明の開示】
【発明が解決しようとする課題】
【０００５】
しかしながら、特許文献１記載の技術においては、ＰＣの画面上から情報機器のデータ操作を行う場合、どのフォルダにどの情報機器が割り当てられているのかを直感的に把握しづらいといった問題がある。  本発明の目的は、ユーザが簡便な操作でデータ通信を可能となるデータ制御装置、制御方法、及びプログラムを提供することにある。
【課題を解決するための手段】
【０００６】
上述の目的を達成するために、本発明は、通信機能を有する第１の情報機器を置くことが可能な載置部と、通信機能を有する第２の情報機器を示すシンボルを明示する表示部と、を備えるデータ制御装置であって、前記載置部に対する前記第１の情報機器の置かれた位置を検出する検出手段と、任意の位置を指示する指示手段と、前記検出手段により検出された前記載置部における前記第１の情報機器の置かれた位置と、前記表示部に明示されている前記第２の情報機器を示すシンボルの位置を含む指示が前記指示手段によりなされた場合、前記第１の情報機器と前記第２の情報機器との間における情報の送受を指示する制御手段と、を備えることを特徴とする。
【０００７】
上述の目的を達成するために、本発明は、通信機能を有する第１の情報機器を置くことが可能な載置部と、第２の情報機器を接続することが可能な接続部と、を備えるデータ制御装置であって、前記載置部に対する前記第１の情報機器の置かれた位置を検出する検出手段と、任意の位置を指示する指示手段と、前記検出手段により検出された前記載置部における前記第１の情報機器の置かれた位置と、前記第２の情報機器が接続された前記接続部の位置を含む指示が前記指示手段によりなされた場合、前記第１の情報機器と前記第２の情報機器との間における情報の送受を指示する制御手段と、を備えることを特徴とする。
【発明の効果】
【０００８】
本発明によれば、ユーザは情報機器に関する情報を容易に認識することができるとともに、データ通信に関わる操作を直感的に行うことが可能となる。
【発明を実施するための最良の形態】
【０００９】
以下、本発明の実施の形態を図面に基づいて説明する。
【００１０】
〔第１の実施の形態〕
本発明の第１の実施の形態では、無線通信機能を有する２台のデジタルカメラ、無線通信機能を有するシート状クレードル、無線通信機能を有するプリンタ、無線通信機能を有するＤＶＤバーナ（ライタ）の間で情報の送受を行う例について説明する。
【００１１】
図１は、本実施の形態に係る情報機器制御システムの構成例を示す構成図である。
【００１２】
図１において、情報機器制御システムは、無線通信機能を有するシート状クレードル１０１、無線通信機能を有するデジタルカメラ１・１０２、デジタルカメラ２・１０３、無線通信機能を有するプリンタ、無線通信機能を有するＤＶＤバーナを備えている。シート状クレードル１０１には、プリンタアイコン１０４とＤＶＤバーナアイコン１０５が表示されている。尚、図１では、プリンタとＤＶＤバーナは不図示である（図２参照）。また、以後の説明では、デジタルカメラ１・１０２をデジタルカメラ１０２と表記し、デジタルカメラ２・１０３をデジタルカメラ１０３と表記する。
【００１３】
シート状クレードル１０１（データ制御装置）は、情報機器（デジタルカメラ１０２、デジタルカメラ１０３、プリンタ、ＤＶＤバーナ）に対し無線通信による接続（以下無線通信接続）が可能である。また、シート状クレードル１０１は、シート状クレードル上（載置部）に情報機器を置くことが可能である。シート状クレードル１０１は、シート状クレードル上に情報機器が置かれた場合、当該情報機器に対し無線通信接続を行うと共に、当該情報機器が置かれた位置を検出することが可能である。
【００１４】
シート状クレードル１０１の端部には、情報機器（外付ＨＤＤ（Hard Disk Drive）１０８）を接続することが可能な外部接続端子１０６（接続部）が装備されている。シート状クレードル１０１は、外部接続端子１０６及びケーブル１０７を介して外付ＨＤＤ１０８に対し有線通信による接続（以下有線通信接続）が可能である。尚、本実施の形態では、シート状クレードル１０１において外部接続端子の設置数を単数とした構成を例に挙げているが、外部接続端子の設置数を複数とする構成としてもよい。
【００１５】
シート状クレードル１０１は、上面全体がアイコン（プリンタアイコン１０４、ＤＶＤバーナアイコン１０５）を表示する表示部（図２参照）として構成されている。また、シート状クレードル１０１は、上面全体がタッチセンサを兼ねている。即ち、シート状クレードル１０１には、図３で後述するようにタッチセンサが内蔵されている。使用者がシート状クレードル１０１の上面を指などでなぞることで（図４参照）、シート状クレードル１０１に無線通信接続された情報機器（プリンタ、ＤＶＤバーナ）や、有線通信接続された情報機器（外付ＨＤＤ）に対する指示操作を行うことが可能である。
【００１６】
プリンタアイコン１０４（シンボル）は、シート状クレードル１０１に無線通信接続されたプリンタを示すアイコンであり、シート状クレードル１０１の上面の表示部に表示されている。ＤＶＤバーナアイコン１０５（シンボル）は、シート状クレードル１０１に無線通信接続されたＤＶＤバーナを示すアイコンであり、シート状クレードル１０１の上面の表示部に表示されている。シート状クレードル上に置かれたデジタルカメラ１０２、デジタルカメラ１０３からは、それぞれ、内部に記録されている画像データをプリンタやＤＶＤバーナに送信することが可能である。
【００１７】
図２は、情報機器制御システムのデータ制御装置としてのシート状クレードル、デジタルカメラ、外付ＨＤＤ、プリンタ、ＤＶＤバーナの構成を示すブロック図である。尚、図２に示す構成は、本発明の表示部、検出手段、指示手段、制御手段、表示制御手段を実現するための一例である。
【００１８】
図２において、シート状クレードル１０１は、外部接続端子１０６、アンテナアレイ２０１、通信制御部２０２、システムコントローラ２０３（制御手段、表示制御手段）、表示部２０４（表示部）、入力部２０５（指示手段）、無線通信部２０６を備えている。デジタルカメラ１０２（第１の情報機器）は、無線通信部２１１、システムコントローラ２１２、フラッシュメモリ２１３を備えている。デジタルカメラ１０３（第１の情報機器）は、無線通信部２２１、システムコントローラ２２２、フラッシュメモリ２２３を備えている。
【００１９】
外付ＨＤＤ１０８（第２の情報機器）は、外部接続端子２３１、システムコントローラ２３２、ＨＤＤ２３３を備えている。プリンタ１１４（第２の情報機器）は、無線通信部２４１、システムコントローラ２４２、印刷部２４３を備えている。ＤＶＤバーナ１１５（第２の情報機器）は、無線通信部２５１、システムコントローラ２５２、ＤＶＤ−ＲＷドライブ２５３を備えている。尚、図２において破線で示す矢印は無線通信により信号が送受信されることを示す。
【００２０】
シート状クレードル１０１において、アンテナアレイ２０１は、外部の情報機器（デジタルカメラ１０２、１０３）と無線通信を行うための複数のアンテナモジュール２０１ａから構成されている。図２では、各アンテナモジュール２０１ａを、アンテナ１、アンテナ２、アンテナ３、・・・アンテナｎと簡易表記している。各アンテナモジュール２０１ａは、シート状クレードル１０１上に置かれた情報機器の位置の検出にも用いる。通信制御部２０２は、アンテナアレイ２０１のアンテナモジュールを介してデジタルカメラ１０２、デジタルカメラ１０３との間における通信の制御を行う。
【００２１】
システムコントローラ２０３は、シート状クレードル全体の制御を司るものであり、制御プログラムに基づき、図５及び図６のフローチャートに示す処理（第１の実施の形態）、図８のフローチャートに示す処理（第２の実施の形態）を実行する。表示部２０４（表示部）は、システムコントローラ２０３の制御に基づき、プリンタアイコン１０４、ＤＶＤバーナアイコン１０５を電気的に表示する。
【００２２】
尚、シート状クレードル外部にある他の情報機器を示すシンボルは、シート状クレードル上に対するアイコンによる電気的な表示に限定されるものではなく、シート状クレードル上に予め印刷により表示（明示）する構成としてもよい。
【００２３】
システムコントローラ２０３は、シート状クレードル１０１における検出した情報機器が置かれた位置と、表示部２０４に表示されている情報機器を示すアイコンの位置を含む指示が使用者から行われた場合、両方の情報機器の間の情報の送受を指示する。また、システムコントローラ２０３は、シート状クレードル１０１における検出した情報機器が置かれた位置と、外部接続端子１０６の位置を含む指示が使用者から行われた場合、両方の情報機器の間の情報の送受を指示する。
【００２４】
システムコントローラ２０３は、シート状クレードル上の情報機器の置かれた位置を検出した場合で、シート状クレードル上の情報機器から他の情報機器が利用可能な場合、他の情報機器を示すアイコン（シンボル）を表示部２０４に表示する表示制御を行う。また、システムコントローラ２０３は、シート状クレードル上の情報機器の置かれた位置を検出した場合で、他の情報機器からシート状クレードル上の情報機器が利用可能な場合、他の情報機器を示すアイコン（シンボル）を表示部２０４に表示する表示制御を行う。
【００２５】
入力部２０５は、タッチセンサから構成されており、シート状クレードル上（載置部、表示部）の任意の位置を指示することが可能である。具体的には、入力部２０５は、シート状クレードル上の情報機器が置かれた位置の近くから他の情報機器を示すアイコン（シンボル）までの経路を使用者が指でなぞる指示（操作）に用いると共に、その指示（操作）を検出する。入力部２０５は、使用者の指示（操作）に伴う検出信号をシステムコントローラ２０３に出力する。無線通信部２０６は、プリンタ１１４の無線通信部２４１、ＤＶＤバーナ１１５の無線通信部２５１と無線通信を行う。
【００２６】
デジタルカメラ１０２において、無線通信部２１１は、シート状クレードル１０１とアンテナモジュールを介して無線通信を行う。システムコントローラ２１２は、デジタルカメラ全体の制御を司る。フラッシュメモリ２１３は、画像データ等を保存する。
【００２７】
デジタルカメラ１０３において、無線通信部２２１は、シート状クレードル１０１とアンテナモジュールを介して無線通信を行う。システムコントローラ２２２は、デジタルカメラ全体の制御を司る。フラッシュメモリ２２３は、画像データ等を保存する。
【００２８】
外付ＨＤＤ１０８において、外部接続端子２３１は、シート状クレードル１０１の外部接続端子１０６と接続される。システムコントローラ２３２は、外付ＨＤＤ全体の制御を司る。ＨＤＤ２３３は、各種データを保存する。
【００２９】
プリンタ１１４において、無線通信部２４１は、シート状クレードル１０１の無線通信部２０６と無線通信を行う。システムコントローラ２４２は、プリンタ全体の制御を司る。印刷部２４３は、画像データを基に用紙に画像を形成する印刷動作を実行する。
【００３０】
ＤＶＤバーナ（ライタ）１１５において、無線通信部２５１は、シート状クレードル１０１の無線通信部２０６と無線通信を行う。システムコントローラ２５２は、ＤＶＤバーナ全体の制御を司る。ＤＶＤ−ＲＷドライブ２５３は、ＤＶＤ−ＲＷに画像データの書き込みを行う。
【００３１】
尚、本実施の形態では、シート状クレードル１０１のシステムコントローラ２０３が、使用者により入力された操作指示の判断や、各情報機器（デジタルカメラ、外付ＨＤＤ、プリンタ、ＤＶＤバーナ）への指示を行う形態をとっている。ただし、本発明は、この形態に限定されるものではなく、操作指示対象（情報の送受を指示される対象）となる情報機器自体が、入力された操作指示の判断や各情報機器への指示を行う形態であってもよい。
【００３２】
図３は、シート状クレードルの構造を示す構成図である。
【００３３】
図３において、シート状クレードル１０１は、４層（タッチセンサ３０１、液晶パネル３０２、アンテナアレイ３０３、制御ブロック３０４）から構成されている。タッチセンサ３０１は、図２の入力部２０５を構成するものであり、使用者からの指示入力（シート状クレードル上をなぞる操作）を検出する。液晶パネル３０２は、図２の表示部２０４を構成するものであり、シート状クレードル１０１に接続された情報機器のシンボル（本実施の形態ではプリンタアイコン１０４とＤＶＤバーナアイコン１０５）を表示する。
【００３４】
アンテナアレイ３０３は、図２のアンテナアレイ２０１に対応するものであり、図２の複数のアンテナモジュール２０１ａに各々対応する複数のアンテナモジュール３０５を有する。アンテナモジュール３０５は、図示のようにシート状クレードル内に敷き詰められ（配列され）ている。これは、シート状クレードル上に置かれた情報機器とどのアンテナモジュールが安定した通信、つまり強い電波強度で通信を行えるかを判定して情報機器が置かれた位置を判断するためである。制御ブロック３０４は、シート状クレードル１０１の制御系を構成するものであり、図２のシステムコントローラ２０３が配設されている。
【００３５】
次に、上記構成を有する本実施の形態の情報機器制御システムのシート状クレードルを中心とした動作を図４、図５、図６を参照しながら説明する。
【００３６】
図４は、シート状クレードル上に置かれたデジタルカメラから無線通信接続されたプリンタに対し画像データを送り印刷する操作と、デジタルカメラから無線通信接続されたＤＶＤバーナに対し画像データを送りＤＶＤ−ＲＷに書き込む操作の例を示す図である。
【００３７】
図４において、上述したように、プリンタアイコン１０４は、シート状クレードル１０１に無線通信接続されたプリンタを示すシンボルであり、シート状クレードル１０１の表示部２０４により表示されている。また、ＤＶＤバーナアイコン１０５は、シート状クレードル１０１に無線通信接続されたＤＶＤバーナを示すシンボルであり、シート状クレードル１０１の表示部２０４により表示されている。プリンタアイコン１０４、ＤＶＤバーナアイコン１０５を表示する仕組みについては図５により後述する。
【００３８】
破線で示す矢印４０１は、デジタルカメラ１０２の置かれた位置の近くからシート状クレードル１０１に表示されているプリンタアイコン１０４へシート状クレードル上を使用者が指でなぞる操作を表している。この操作により、デジタルカメラ１０２のフラッシュメモリ２１３内の画像データがプリンタ１１４（図２参照）に対して無線通信により送信され、プリンタ１１４の印刷部２４３により画像データを基に印刷が行われる。
【００３９】
また、破線で示す矢印４０２は、デジタルカメラ１０３置かれた位置の近くからシート状クレードル１０１に表示されているＤＶＤバーナアイコン１０５へシート状クレードル上を使用者が指でなぞる操作を表している。この操作により、デジタルカメラ１０３からフラッシュメモリ２２３内の画像データがＤＶＤバーナ１１５（図２参照）に対して無線通信により送信され、ＤＶＤバーナ１１５のＤＶＤ−ＲＷドライブ２５３によりＤＶＤ−ＲＷに画像データの書き込みが行われる。
【００４０】
図５は、シート状クレードル上に情報機器が置かれた場合のシート状クレードルのシステムコントローラの動作を示すフローチャートである。
【００４１】
図５において、ステップＳ５０１では、シート状クレードル１０１のシステムコントローラ２０３は、シート状クレードル上に情報機器Ａ（本実施の形態ではデジタルカメラにあたる）が置かれたかどうかを検出する。シート状クレードル上に情報機器Ａが置かれたことを検出しなかった場合は、検出するまでステップＳ５０１を繰り返す。シート状クレードル上に情報機器Ａが置かれたことを検出した場合は、ステップＳ５０２へ進む。
【００４２】
ステップＳ５０２では、システムコントローラ２０３は、シート状クレードル１０１に他の情報機器Ｂ（本実施の形態ではプリンタとＤＶＤバーナにあたる）が無線通信接続されているかどうかをチェックする。他の情報機器Ｂが無線通信接続されている場合は、ステップＳ５０３へ進む。他の情報機器Ｂが無線通信接続されていない場合は、本処理を終了する。
【００４３】
ステップＳ５０３では、システムコントローラ２０３は、情報機器Ｂが情報機器Ａから利用可能であるかどうかを調べる。情報機器Ｂが情報機器Ａから利用可能な場合は、ステップＳ５０４へ進む。情報機器Ｂが情報機器Ａから利用不可能な場合は、本処理を終了する。ステップＳ５０４では、システムコントローラ２０３は、情報機器Ｂを示すアイコン（本実施の形態ではプリンタアイコン１０４とＤＶＤバーナアイコン１０５）を表示部２０４に表示する。
【００４４】
図５に示した処理により、情報機器Ａから利用可能な情報機器Ｂのみがシート状クレードル１０１の表示部２０４にアイコンとして表示されることになる。本実施の形態では、情報機器Ａにあたるデジタルカメラから、情報機器ＢにあたるプリンタとＤＶＤバーナの両方を利用可能とする。そのため、デジタルカメラをシート状クレードル１０１に置いた場合、プリンタとＤＶＤバーナの両方のアイコンがシート状クレードル１０１の表示部２０４に表示される。
【００４５】
図６は、シート状クレードル上を使用者がなぞる操作を行った場合のシート状クレードルのシステムコントローラの動作を示すフローチャートである。
図６において、ステップＳ６０１では、シート状クレードル１０１のシステムコントローラ２０３は、入力部２０５（タッチセンサ）に対し使用者から入力操作（指示）が行われたかどうかを判定する。タッチセンサに対し入力操作（指示）があった場合は、ステップＳ６０２へ進み、入力操作（指示）が無かった場合は、入力操作があるまでステップＳ６０１を繰り返す。
【００４６】
ステップＳ６０２では、システムコントローラ２０３は、使用者によるタッチセンサに対する入力操作の始点がデジタルカメラ１０２の置かれている位置の近くかどうかを判定する。入力操作の始点がデジタルカメラ１０２の置かれている位置からある一定距離以内の場合は、システムコントローラ２０３は、入力操作の始点がデジタルカメラ１０２の近くであると判断し、ステップＳ６０３へ進む。入力操作の始点がデジタルカメラ１０２の置かれている位置からある一定距離を超える場合は、システムコントローラ２０３は、入力操作の始点がデジタルカメラ１０２の近くではないと判断し、ステップＳ６０７へ分岐する。
【００４７】
デジタルカメラ１０２の置かれている位置の検出（判断）は次のように行う。システムコントローラ２０３は、アンテナアレイ２０１を介してデジタルカメラ１０２と通信を行い、アンテナアレイ２０１の中から最も電波強度の強いアンテナモジュールを選び、そのアンテナモジュールの位置にデジタルカメラ１０２が置かれたと判断する。尚、この位置検出方法は一例であり、本発明はこれに限定されるものではない。
【００４８】
ステップＳ６０３では、システムコントローラ２０３は、入力操作の終点がプリンタアイコン１０４の近くかどうかを判定する。入力操作の終点がプリンタアイコン１０４からある一定距離以内の場合は、システムコントローラ２０３は、入力操作の終点がプリンタアイコン１０４の近くであると判断し、ステップＳ６０４へ進む。入力操作の終点がプリンタアイコン１０４からある一定距離を超える場合は、システムコントローラ２０３は、入力操作の終点がプリンタアイコン１０４の近くではないと判断し、ステップＳ６０５へ分岐する。
【００４９】
ステップＳ６０４では、システムコントローラ２０３は、デジタルカメラ１０２を始点としプリンタアイコン１０４を終点とする入力操作がなされたと判断し、次の指示を行う。システムコントローラ２０３は、通信制御部２０２によりアンテナアレイ２０１を介しデジタルカメラ１０２に対しプリンタ１１４への画像データ送信を指示（情報の送受を指示）する。送信指示により、デジタルカメラ１０２は、無線通信部２１１によりプリンタ１１４と無線通信を確立し、フラッシュメモリ２１３内の画像データをプリンタ１１４へ送信する。プリンタ１１４は、受信した画像データを基に印刷部２４３により印刷を行う。
【００５０】
ステップＳ６０５では、システムコントローラ２０３は、入力操作の終点がＤＶＤバーナアイコン１０５の近くかどうかを判定する。入力操作の終点がＤＶＤバーナアイコン１０５の近くであると判断した場合は、ステップＳ６０６へ進む。入力操作の終点がＤＶＤバーナアイコン１０５の近くではないと判断した場合は、システムコントローラ２０３は、入力操作の対象となる情報機器が指定されなかったと見なし、本処理を終了する。
【００５１】
ステップＳ６０６では、システムコントローラ２０３は、デジタルカメラ１０２を始点としＤＶＤバーナアイコン１０５を終点とする入力操作がなされたと判断し、次の指示を行う。システムコントローラ２０３は、通信制御部２０２によりアンテナアレイ２０１を介しデジタルカメラ１０２に対しＤＶＤバーナ１１５への画像データ送信を指示（情報の送受を指示）する。送信指示により、デジタルカメラ１０２は、無線通信部２１１によりＤＶＤバーナ１１５と無線通信を確立し、フラッシュメモリ２１３内の画像データをＤＶＤバーナ１１５へ送信する。ＤＶＤバーナ１１５は、受信した画像データをＤＶＤ−ＲＷドライブ２５３によりＤＶＤ−ＲＷに書き込む。
【００５２】
ステップＳ６０７では、システムコントローラ２０３は、入力操作の始点がデジタルカメラ１０３の置かれている位置の近くかどうかを判定する。入力操作の始点がデジタルカメラ１０３の置かれている位置の近くであると判断した場合は、ステップＳ６０８へ進む。入力操作の始点がデジタルカメラ１０３の置かれている位置の近くでないと判断した場合は、システムコントローラ２０３は、入力操作の対象となる情報機器が指定されなかったと見なし、本処理を終了する。
【００５３】
ステップＳ６０８では、システムコントローラ２０３は、入力操作の終点がプリンタアイコン１０４の近くかどうかを判定する。入力操作の終点がプリンタアイコン１０４の近くであると判断した場合は、ステップＳ６０９へ進む。入力操作の終点がプリンタアイコン１０４の近くでないと判断した場合は、ステップＳ６１０へ進む。
【００５４】
ステップＳ６０９では、システムコントローラ２０３は、デジタルカメラ１０３を始点とし、プリンタアイコン１０４を終点とする入力操作がなされたと判断し、次の指示を行う。システムコントローラ２０３は、通信制御部２０２によりアンテナアレイ２０１を介しデジタルカメラ１０３に対しプリンタ１１４への画像データ送信を指示（情報の送受を指示）する。送信指示により、デジタルカメラ１０３は、無線通信部２２１によりプリンタ１１４と無線通信を確立し、フラッシュメモリ２２３内の画像データをプリンタ１１４へ送信する。プリンタ１１４は、受信した画像データを基に印刷部２４３により印刷を行う。
【００５５】
ステップＳ６１０では、システムコントローラ２０３は、入力操作の終点がＤＶＤバーナアイコン１０５の近くかどうかを判定する。入力操作の終点がＤＶＤバーナアイコン１０５の近くであると判断した場合は、ステップＳ６１１へ進む。入力操作の終点がＤＶＤバーナアイコン１０５の近くではないと判断した場合は、システムコントローラ２０３は、入力操作の対象となる情報機器が指定されなかったとみなし、本処理を終了する。
【００５６】
ステップＳ６１１では、システムコントローラ２０３は、デジタルカメラ１０３を始点としＤＶＤバーナアイコン１０５を終点とする入力操作がなされたと判断し、次の指示を行う。システムコントローラ２０３は、通信制御部２０２によりアンテナアレイ２０１を介しデジタルカメラ１０３に対しＤＶＤバーナ１１５への画像データ送信を指示（情報の送受を指示）する。送信指示により、デジタルカメラ１０３は、無線通信部２２１によりＤＶＤバーナ１１５と無線通信を確立し、フラッシュメモリ２２３内の画像データをＤＶＤバーナ１１５へ送信する。ＤＶＤバーナ１１５は、受信した画像データをＤＶＤ−ＲＷドライブ２５３によりＤＶＤに書き込む。
【００５７】
上記図６のように、シート状クレードル上に情報機器が置かれた位置から別の情報機器を示すアイコンに向けてシート状クレードル上をなぞるという直感的に情報機器を指定する操作を行うことで、画像の印刷やＤＶＤへの画像データ書き込みを行うことができる。これにより、使用者は情報処理装置や情報機器自体の入力部／表示部を用いることなく、目的の情報機器に対するデータ操作が可能となる。
【００５８】
以上説明したように、本実施の形態によれば、シート状クレードル上に情報機器が置かれた位置からシート状クレードル上に表示された別の情報機器を示すアイコンへと、使用者がシート状クレードル上で位置を指定する操作を行う。これにより、複数の情報機器が存在する状態でも、使用者が誤ることなく目的の情報機器を指定することで、画像の印刷や書き込み等のデータ操作を直感的に行うことが可能となる。また、従来のように情報処理装置で情報機器のデータ操作を行う場合に情報処理装置をその都度起動する必要や、使用者が情報処理装置や情報機器の入力部／表示部を用いる必要がなくなるため、ストレスを感じない簡便なデータ操作が可能となる。
【００５９】
〔第２の実施の形態〕
本発明の第２の実施の形態では、無線通信機能を有する２台のデジタルカメラ、無線通信機能を有するシート状クレードル、該シート状クレードルに外部接続端子を介して有線通信接続された外付ＨＤＤの間で情報の送受を行う例について説明する。
【００６０】
本実施の形態は、上記第１の実施の形態に対して、以下で詳述する点において相違する。本実施の形態のその他の要素は、上記第１の実施の形態（図２、図３）の対応するものと同一なので説明を省略する。
【００６１】
尚、本実施の形態では、シート状クレードル１０１のシステムコントローラ２０３が、使用者により入力された操作指示の判断や、各情報機器（デジタルカメラ、外付ＨＤＤ）への指示を行う形態をとっている。ただし、本発明は、この形態に限定されるものではなく、操作指示対象（情報の送受の指示対象）となる情報機器自体が、入力された操作指示の判断や各情報機器への指示を行う形態であってもよい。
【００６２】
図７は、本実施の形態に係る情報機器制御システムのシート状クレードル上に置かれたデジタルカメラから有線通信接続された外付ＨＤＤに対し画像データを送りコピーする操作の例を示す図である。
【００６３】
図７において、破線で示す矢印７０１は、デジタルカメラ１０２からシート状クレードル１０１に装備されている外部接続端子１０６へシート状クレードル上を使用者が指でなぞる操作を表している。この操作により、デジタルカメラ１０２からフラッシュメモリ２１３内の画像データが外付ＨＤＤ１０８に対して送信され、外付ＨＤＤ１０８によりＨＤＤ２３３に画像データのコピーが行われる。
【００６４】
また、破線で示す矢印７０２は、デジタルカメラ１０３からシート状クレードル１０１に装備されている外部接続端子１０６へシート状クレードル上を使用者が指でなぞる操作を表している。この操作により、デジタルカメラ１０３からフラッシュメモリ２２３内の画像データが外付ＨＤＤ１０８に対して送信され、外付ＨＤＤ１０８によりＨＤＤ２３３に画像データのコピーが行われる。
【００６５】
図８は、シート状クレードル上をなぞる操作を行った場合のシート状クレードルのシステムコントローラの動作を示すフローチャートである。
【００６６】
図８において、ステップＳ８０１では、シート状クレードル１０１のシステムコントローラ２０３は、入力部２０５（タッチセンサ）に対し使用者から入力操作（指示）が行われたかどうかを判定する。タッチセンサに対し入力操作（指示）があった場合は、ステップＳ８０２へ進み、入力操作（指示）が無かった場合は、入力操作があるまでステップＳ８０１を繰り返す。
【００６７】
ステップＳ８０２では、システムコントローラ２０３は、使用者によるタッチセンサに対する入力操作の始点がデジタルカメラ１０２の置かれている位置の近くかどうかを判定する。入力操作の始点がデジタルカメラ１０２の置かれている位置からある一定距離以内の場合は、システムコントローラ２０３は、入力操作の始点がデジタルカメラ１０２の近くであると判断し、ステップＳ８０３へ進む。入力操作の始点がデジタルカメラ１０２の置かれている位置からある一定距離を超える場合は、システムコントローラ２０３は、入力操作の始点がデジタルカメラ１０２の近くではないと判断し、ステップＳ８０５へ分岐する。
【００６８】
ステップＳ８０３では、システムコントローラ２０３は、入力操作の終点が外部接続端子１０６の近くかどうかを判定する。入力操作の終点が外部接続端子１０６からある一定距離以内の場合は、システムコントローラ２０３は、入力操作の終点が外部接続端子１０６の近くであると判断し、ステップＳ８０４へ進む。入力操作の終点が外部接続端子１０６からある一定距離を超える場合は、システムコントローラ２０３は、入力操作の終点が外部接続端子１０６の近くではないと判断し、本処理を終了する。
【００６９】
ステップＳ８０４では、システムコントローラ２０３は、デジタルカメラ１０２を始点とし外部接続端子１０６を終点とする入力操作がなされたと判断し、次の指示を行う。システムコントローラ２０３は、通信制御部２０２によりアンテナアレイ２０１を介しデジタルカメラ１０２に対し外付ＨＤＤ１０８への画像データ送信を指示（情報の送信を指示）する。送信指示により、デジタルカメラ１０２は、フラッシュメモリ２１３内の画像データを外付ＨＤＤ１０８へ送信する。
【００７０】
ただし、外付ＨＤＤ１０８は、外部接続端子２３１、外部接続端子１０６を介してシート状クレードル１０１に有線通信接続されており、無線通信手段を備えていないため、上記の画像データ送信処理はシート状クレードル１０１を仲介して行われる。外付ＨＤＤ１０８は、デジタルカメラ１０２からシート状クレードル１０１経由で受信した画像データをＨＤＤ２３３にコピーする。
【００７１】
ステップＳ８０５では、システムコントローラ２０３は、入力操作の始点がデジタルカメラ１０３の置かれている位置の近くかどうかを判定する。入力操作の始点がデジタルカメラ１０３の置かれている位置の近くであると判断した場合は、ステップＳ８０６へ進む。入力操作の始点がデジタルカメラ１０３の置かれている位置の近くでないと判断した場合は、システムコントローラ２０３は、入力操作の対象となる情報機器が指定されなかったと見なし、本処理を終了する。
【００７２】
ステップＳ８０６では、システムコントローラ２０３は、入力操作の終点が外部接続端子１０６の近くかどうかを判定する。入力操作の終点が外部接続端子１０６の近くであると判断した場合は、ステップＳ８０７へ進む。入力操作の終点が外部接続端子１０６の近くでないと判断した場合は、システムコントローラ２０３は、入力操作の対象となる情報機器が指定されなかったと見なし、本処理を終了する。
【００７３】
ステップＳ８０７では、システムコントローラ２０３は、デジタルカメラ１０３を始点とし外部接続端子１０６を終点とする入力操作がなされたと判断し、次の指示を行う。システムコントローラ２０３は、通信制御部２０２によりアンテナアレイ２０１を介しデジタルカメラ１０３に対し外付ＨＤＤ１０８への画像データ送信を指示（情報の送信を指示）する。送信指示により、デジタルカメラ１０３は、フラッシュメモリ２２３内の画像データを外付ＨＤＤ１０８へ送信する。
【００７４】
ただし、外付ＨＤＤ１０８は、外部接続端子２３１、外部接続端子１０６を介してシート状クレードル１０１に有線通信接続されており、無線通信手段を備えていないため、上記の画像データ送信処理はシート状クレードル１０１を仲介して行われる。外付ＨＤＤ１０８は、デジタルカメラ１０３からシート状クレードル１０１経由で受信した画像データをＨＤＤ２３３にコピーする。
【００７５】
上記図８のように、シート状クレードル上に情報機器が置かれた位置から別の情報機器が接続された外部接続端子に向けてシート状クレードル上をなぞるという直感的に情報機器を指定する操作を行うことで、画像データのコピーを行うことができる。これにより、使用者は情報処理装置や情報機器自体の入力部／表示部を用いることなく、目的の情報機器に対するデータ操作が可能となる。
【００７６】
以上説明したように、本実施の形態によれば、シート状クレードル上に情報機器が実際に置かれた位置から別の情報機器へ繋がる外部接続端子へと、使用者がシート状クレードル上で位置を指定する操作を行う。これにより、複数の情報機器が存在する状態でも、使用者が誤ることなく目的の情報機器を指定することで、コピー等のデータ操作を直感的に行うことが可能となる。また、従来のように情報処理装置で情報機器のデータ操作を行う場合に情報処理装置をその都度起動する必要や、使用者が情報処理装置や情報機器の入力部／表示部を用いる必要がなくなるため、ストレスを感じない簡便なデータ操作が可能となる。
【００７７】
〔他の実施の形態〕
第１の実施の形態では、デジタルカメラから無線通信によりプリンタやＤＶＤバーナに画像データを送信する構成を例に挙げたが、本発明はこれに限定されるものではない。デジタルカメラからシート状クレードルを介してプリンタやＤＶＤバーナに画像データを送信することも可能である。
【００７８】
第２の実施の形態では、デジタルカメラから外部接続端子を介して外付ＨＤＤに画像データを送信する構成を例に挙げたが、本発明はこれに限定されるものではない。デジタルカメラから外部接続端子を介して外付ＨＤＤ以外の情報機器（例えば情報処理装置）に画像データを送信することも可能である。
【００７９】
第１及び第２の実施の形態では、シート状クレードル上に置かれた情報機器から、アイコンが示す情報機器や外部接続端子に接続された情報機器に情報（画像データ）を送信する構成を例に挙げたが、本発明はこれに限定されるものではない。アイコンが示す情報機器や外部接続端子に接続された情報機器（例えば情報処理装置）から、シート状クレードル上に置かれた情報機器（例えば携帯端末）に情報を送信することも可能である。即ち、本発明はシート状クレードル上の情報機器と外部の情報機器との間で情報の送受を行う様々な形態に適用することが可能である。
【００８０】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【００８１】
この場合、記憶媒体から読み出されたプログラムコード自体が前述した実施の形態の機能を実現することになり、そのプログラムコード及び該プログラムコードを記憶した記憶媒体は本発明を構成することになる。
【００８２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８４】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００８５】
【図１】本発明の第１の実施の形態に係る情報機器制御システムの構成例を示す構成図である。
【図２】情報機器制御システムのデータ制御装置としてのシート状クレードル、デジタルカメラ、外付ＨＤＤ、プリンタ、ＤＶＤバーナの構成を示すブロック図である。
【図３】シート状クレードルの構造を示す構成図である。
【図４】シート状クレードル上に置かれたデジタルカメラから無線通信接続されたプリンタに対し画像データを送り印刷する操作と、デジタルカメラから無線通信接続されたＤＶＤバーナに対し画像データを送りＤＶＤ−ＲＷに書き込む操作の例を示す図である。
【図５】シート状クレードル上に情報機器が置かれた場合のシート状クレードルのシステムコントローラの動作を示すフローチャートである。
【図６】シート状クレードル上を使用者がなぞる操作を行った場合のシート状クレードルのシステムコントローラの動作を示すフローチャートである。
【図７】本発明の第２の実施の形態に係る情報機器制御システムのシート状クレードル上に置かれたデジタルカメラから有線通信接続された外付ＨＤＤに対し画像データを送りコピーする操作の例を示す図である。
【図８】シート状クレードル上を使用者がなぞる操作を行った場合のシート状クレードルのシステムコントローラの動作を示すフローチャートである。
【符号の説明】
【００８６】
１０１  シート状クレードル
１０２、１０３  デジタルカメラ
１０４  プリンタアイコン
１０５  ＤＶＤバーナアイコン
１０６  外付ＨＤＤ
１０７  外部接続端子
１１４  プリンタ
１１５  ＤＶＤバーナ
２０１  アンテナアレイ
２０１ａ  アンテナモジュール
２０３  システムコントローラ
２０４  表示部
２０５  入力部
【図１】
2010009121.tif 000003
【図２】
2010009121.tif 000004
【図３】
2010009121.tif 000005
【図４】
2010009121.tif 000006
【図５】
2010009121.tif 000007
【図６】
2010009121.tif 000008
【図７】
2010009121.tif 000009
【図８】
2010009121.tif 000010